(57)【特許請求の範囲】
【請求項１】
竪樋の挿入口を上端に有し、挿入口の下方の底部に竪樋との接続部を有し、挿入口から接続部に至る雨水排水流路が形成された筒状の雨水排水部と、雨水排水部に連設一体化され、雨水排水部の雨水排水流路に連通する雨水取り出し流路が形成され、下端部に雨水取り出し流路に連通する雨水取り出し口部を有する筒状の雨水取り出し部とを備え、雨水排水部の挿入口から雨水排水流路に上側の竪樋が挿入され、接続部に下側の竪樋が接続されて上下の竪樋の間に取り付けられる雨水取り出し装置において、雨水排水部および雨水取り出し部の両底部は略同一面上に配置される一方、雨水取り出し部の高さは雨水排水部の高さより低く、雨水取り出し装置の上端が雨水排水部から雨水取り出し部にかけて斜め下方に傾斜し、雨水排水部の雨水排水流路は、取付状態の雨水取り出し装置における上側の竪樋の挿入長さより長く、雨水排水流路に上側の竪樋のより深い挿入が可能とされるとともに、雨水排水流路に連通する雨水取り出し部の雨水取り出し流路は、上側の竪樋が雨水排水部の雨水排水流路に深く挿入されるときに上側の竪樋の一部の挿入が可能とされ、取付状態において雨水取り出し装置の上端に、雨水排水部の雨水排水流路に挿入された上側の竪樋を除いた部分を覆う蓋が着脱自在に取り付けられ、この蓋は、雨水取り出し装置の上端の平面形状に沿った形状を有し、雨水排水部側に、雨水排水流路に挿入される上側の竪樋の外形に沿って切り欠かれた弧状切欠部が形成され、雨水排水部の接続部を形成する接続筒部の下端に雨水取り出し部に向かって斜め上方に向かって傾斜するテーパが形成され、雨水取り出し装置は、雨水排水部の雨水排水流路に上側の竪樋を深く挿入したときに雨水取り出し部の上方への回動が可能とされ、固定されている竪樋に対して取り付けおよび取り外しが可能とされていることを特徴とする雨水取り出し装置。
【請求項２】
雨水排水部と雨水取り出し部との間には堰が底部から内部に立設され、堰の高さは、雨水取り出し部の上方への回動に支障のない高さとされていることを特徴とする請求項１に記載の雨水取り出し装置。
【発明の詳細な説明】
【技術分野】
【０００１】
本発明は、竪樋を流下する雨水を外部に取り出す雨水取り出し装置に関する。
【背景技術】
【０００２】
近年の水不足や地球環境保全の意識の高まりにつれて、雨水を資源として利用する考えが認識され、雨水を集水する装置が検討され、簡易な装置が提案されている。
【０００３】
たとえば、軒樋に連通する竪樋の適当な位置に取り付けられる筒状の装置で、竪樋が上部に接続される受水筒部と、受水筒部に連設され、連通する取水筒部とを備え、受水筒部の下端に、竪樋が接続される溢出雨水分岐樋が配設された雨水取り出し装置が知られている（特許文献１）。
【特許文献１】実用新案登録第３１２９４９２号公報
【発明の開示】
【発明が解決しようとする課題】
【０００４】
しかしながら、上記雨水取り出し装置を含め、雨水取り出し装置は、一般に、竪樋の間に介設された取付状態において、雨水取り出し装置のみを取り外すことはできない。メンテナンスなどのために雨水取り出し装置を取り外す必要が生じた際には、控え金具などの取付具により外壁面に固定されている竪樋を取付具から取り外し、その後に雨水取り出し装置を竪樋から取り外さなければならない。このため、雨水取り出し装置の取外作業は面倒であり、手間のかかるものとなっている。したがって、同様に、再度取り付ける際に竪樋の現状復帰が必要となり、付帯的作業をともない、取付作業も容易でない。
【０００５】
本発明は、以上の通りの事情に鑑みてなされたものであり、固定されている竪樋を取り外すことなく取り外しが可能でかつ容易であり、取り付けも容易な雨水取り出し装置を提供することを課題としている。
【課題を解決するための手段】
【０００６】
本発明は、上記の課題を解決するために、以下の特徴を有する。
【０００７】
第１の発明は、竪樋の挿入口を上端に有し、挿入口の下方の底部に竪樋との接続部を有し、挿入口から接続部に至る雨水排水流路が形成された筒状の雨水排水部と、雨水排水部に連設一体化され、雨水排水部の雨水排水流路に連通する雨水取り出し流路が形成され、下端部に雨水取り出し流路に連通する雨水取り出し口部を有する筒状の雨水取り出し部とを備え、雨水排水部の挿入口から雨水排水流路に上側の竪樋が挿入され、接続部に下側の竪樋が接続されて上下の竪樋の間に取り付けられる雨水取り出し装置において、雨水排水部および雨水取り出し部の両底部は略同一面上に配置される一方、雨水取り出し部の高さは雨水排水部の高さより低く、雨水取り出し装置の上端が雨水排水部から雨水取り出し部にかけて斜め下方に傾斜し、雨水排水部の雨水排水流路は、取付状態の雨水取り出し装置における上側の竪樋の挿入長さより長く、雨水排水流路に上側の竪樋のより深い挿入が可能とされるとともに、雨水排水流路に連通する雨水取り出し部の雨水取り出し流路は、上側の竪樋が雨水排水部の雨水排水流路に深く挿入されるときに上側の竪樋の一部の挿入が可能とされ、取付状態において雨水取り出し装置の上端に、雨水排水部の雨水排水流路に挿入された上側の竪樋を除いた部分を覆う蓋が着脱自在に取り付けられ、この蓋は、雨水取り出し装置の上端の平面形状に沿った形状を有し、雨水排水部側に、雨水排水流路に挿入される上側の竪樋の外形に沿って切り欠かれた弧状切欠部が形成され、雨水排水部の接続部を形成する接続筒部の下端に雨水取り出し部に向かって斜め上方に向かって傾斜するテーパが形成され、雨水取り出し装置は、雨水排水部の雨水排水流路に上側の竪樋を深く挿入したときに雨水取り出し部の上方への回動が可能とされ、固定されている竪樋に対して取り付けおよび取り外しが可能とされていることを特徴としている。
【０００８】
第２の発明は、上記第１の発明において、雨水排水部と雨水取り出し部との間には堰が底部から内部に立設され、堰の高さは、雨水取り出し部の上方への回動に支障のない高さとされていることを特徴としている。
【発明の効果】
【００１０】
上記第１の発明によれば、雨水排水部および雨水取り出し部の両底部は略同一面上に配置される一方、雨水取り出し部の高さは雨水排水部の高さより低く、雨水取り出し装置の上端が雨水排水部から雨水取り出し部にかけて斜め下方に傾斜し、雨水排水部の雨水排水流路は、取付状態の雨水取り出し装置における上側の竪樋の挿入長さより長く、雨水排水流路に上側の竪樋のより深い挿入が可能とされるとともに、雨水排水流路に連通する雨水取り出し部の雨水取り出し流路は、上側の竪樋が雨水排水部の雨水排水流路に深く挿入されるときに上側の竪樋の一部の挿入が可能とされているので、雨水取り出し装置は、雨水排水部の雨水排水流路に上側の竪樋を深く挿入したときに、雨樋取り出し装置の中央部などを回動の中心として雨水取り出し部を上方に回動させることができ、回動させた状態において斜め下方に引くことにより、上下両側の竪樋から取り外すことができる。雨水取り出し装置を取り外す際に固定されている竪樋を取付具から取り外す必要はなく、竪樋を固定したままの状態で雨水取り出し装置のみを取り外すことができ、取外作業が容易となる。同様に、再度取り付ける際には、竪樋の現状復帰は必要ないため、付帯的な作業をともなうことなく雨水取り出し装置を上下両側の竪樋に取り付けることができ、取り付けも容易となる。また、取付状態において雨水取り出し装置の上端に、雨水排水部の雨水排水流路に挿入された上側の竪樋を除いた部分を覆う蓋を取り付けることができるので、雨水取り出し装置の外観が良好となり、また、蓋は取り外すこともできるため、雨水取り出し装置の取り外しおよび取り付けの邪魔にならない。
【００１１】
上記第２の発明によれば、雨水排水部と雨水取り出し部との間には堰が底部から内部に立設されているので、所定の排水量を確保したまま、堰を越流する雨水を必要量取り出すことができ、竪樋の排水性能および雨水取り出し装置の取水性能が良好に実現される。また、堰の高さは、雨水取り出し部の上方への回動に支障のない高さにされているため、上記第１の発明の効果が十分に達成される。
【発明を実施するための最良の形態】
【００１３】
図１、図２、図３は、それぞれ、本発明の雨水取り出し装置の一実施形態を示した分解斜視図、横断面図、縦断面図である。
【００１４】
図１、図２および図３に示した雨水取り出し装置１は、竪樋２の挿入口３を有し、挿入口３の下方の底部に竪樋４との接続部５を有し、挿入口３から接続部５に至る雨水排水流路６が形成された筒状の雨水排水部７と、雨水排水部７の雨水排水流路６に連通する雨水取り出し流路８が形成され、下端部に雨水取り出し流路８に連通する雨水取り出し口部９を有する筒状の雨水取り出し部１０とを備えている。雨水取り出し装置１では、雨水取り出し部１０は雨水排水部７に連設一体化され、図２に示したように、雨水取り出し装置１の断面形状は、雨水排水部７から雨水取り出し部１０に向かって次第に細く延びる長円形となっている。
【００１５】
雨水排水部７では、図３に示したように、竪樋２が挿入口３から雨水排水流路６の上端部付近に挿入される。円筒管である竪樋２の外形に一部一致するように、雨水排水部７は、図１および図２に示したように、弧状面部１１を雨水取り出し部１０と反対側の部分に備えている。弧状面部１１によって、竪樋２からの突出を抑え、雨樋取り出し装置１の取り付けを容易にするとともに、竪樋２、４との外観上の違和感を最小限に抑え、外観を良好にしている。雨水排水部７が底部に有する竪樋４との接続部５は、図３に示したように、底部から下方に延出された円筒状の接続筒部５ａと、底部から雨水排水部７の内部に上方に延出された円筒状の壁部５ｂとから形成されている。接続筒部５ａの外径は竪樋４の内径に略等しいかまたは若干小さく、壁部５ｂの外径は接続筒部５ａの内径より若干小さくされている。
【００１６】
雨水取り出し部１０では、円筒状の雨水取り出し口部９が底部から下方に延出されている。また、雨水取り出し部１０と雨水排水部７とは、底部から内部に立設された堰１２によって、図２および図３に示したように、雨水取り出し流路８と雨水排水流路６とを連通させつつ、区画されている。堰１２によって区画された雨水取り出し部１０の内部には、雨水を浄水するためのゴミ除去部材、濾過材などを有するフィルター１３が配設されている。
【００１７】
このような雨水取り出し装置１は、図３に示したように、竪樋２の下端部が雨水排水部７の上端の挿入口３を通じて雨水排水流路６に挿入され、竪樋４の上端部が接続部５の接続筒部５ａの外側に嵌入または挿入されて、上下の竪樋２、４の間に取り付けられる。このとき、上側の竪樋２の下端部は、雨水排水流路６の上端部付近に配置される。また、雨水取り出し部１０の下端部の雨水取り出し口部９には、その外側に、ホースなどの通水路を形成する部材の上端部が嵌入または挿入されて、雨水取り出し部１０は、適所に配置された雨水タンクに通水路を介して連通される。
【００１８】
上側の竪樋２から排水される雨水は、雨水排水部７に流下する。流下した雨水は、堰１２が設けられていることから直接雨水取り出し部１０に流出せず、堰１２および接続部５を形成する壁部５ｂの存在によって雨水排水部７内に溜まっていく。水面が壁部５ｂの高さを越えると、雨水は、壁部５ｂの内部に流れ込み、接続筒部５ａを経由して下側の竪樋４に流出し、排水される。このように、雨水取り出し装置１では、底部から内部に堰１２が立設され、雨水排水部７と雨水取り出し部１０とが区画され、雨水排水部７が接続部５に底部から上方に延出された壁部５ｂを備えているので、雨水排水部７において排水量をコントロールすることができ、排水溝などの排水能力を考慮して雨水を適当量に調節して排水することができる。
【００１９】
雨水排水部７に溜まる雨水の水面が堰１２の高さを越えると、雨水が越流し、雨水取り出し部１０に流れ込む。雨水取り出し部１０に流れ込んだ雨水は、フィルター１３によってゴミが除去され、濾過されて浄化され、資源用の水として雨水取り出し口部９を通じて雨水タンクに導かれる。このように、雨水取り出し装置１では、雨水排水部７と雨水取り出し部１０とが連通しつつも、堰１２によって区画されているので、排水量を一定量確保しながら、水資源として再利用する雨水を必要量取り出すことができる。竪樋２、４の排水性能および雨水取り出し装置１の取水性能が良好に実現される。
【００２０】
さらに、図１、図２および図３に示した雨水取り出し装置１では、雨水排水部７および雨水取り出し部１０の両底部は略同一面上に配置される一方、雨水取り出し部１０の高さは雨水排水部の７高さより低く、雨水取り出し装置１の上端１ａが、雨水排水部７から雨水取り出し部１０にかけて斜め下方に傾斜している。また、雨水排水流路６は、図３に示したように、取付状態の雨水取り出し装置１における竪樋２の挿入長さより長く、雨水排水流路６に上側の竪樋２のより深い挿入が可能とされている。さらに、雨水排水部７の雨水排水流路６に連通する雨水取り出し部１０の雨水取り出し流路８は、上側の竪樋２が雨水排水部７の雨水排水流路６に深く挿入されるときに上側の竪樋２の一部の挿入が可能とされている。
【００２１】
そして、雨水取り出し装置１は、図１および図３に示したように、取付状態において上端１ａに、雨水排水流路６に挿入された上側の竪樋２を除いた部分を覆うことができる蓋１４を着脱自在に備えている。蓋１４は、雨水取り出し装置１の上端１ａの平面形状に沿った形状を有し、雨水排水部７側には、雨水排水流路６に挿入される上側の竪樋２の外形に沿って切り欠かれ、弧状切欠部１５が形成されている。また、蓋１４には、弧状切欠部１５を除く裏面周端縁部に下方に突出するリブ１６を有している。したがって、蓋１４は、リブ１６を雨水取り出し装置１の上端１ａの竪樋２を除いた部分の上端縁１ｂの内側に嵌め込むことにより、上方より雨水取り出し装置１の竪樋２を除いた上端１ａの部分に嵌着することができる。雨水取り出し装置１は、一般にポリカーボネートなどの合成樹脂製であり、リブ１６の上端縁１ｂの内側への嵌め込みにより蓋１４は、雨水取り出し装置１に十分に保持され、風圧などを受けても取り外れることはない。もちろん、取り外しは可能であり、ドライバーなどの治具を蓋１４と雨水取り出し装置１の上端縁１ｂに差し込むなどによって容易に取り外すことができる。場合によっては人の手指によって取り外すことができる。蓋１４の装着によって、雨水取り出し装置１と竪樋２、４との一体感が増し、雨水取り出し装置１の外観が良好となる。
【００２２】
このような雨水取り出し装置１は、外壁面に取付具によって固定された竪樋２、４を取り外すことなく、取り外しが可能であり、取外作業を容易としている。
【００２３】
上記の通り、雨水取り出し装置１の上端１ａは、雨水排水部７から雨水取り出し部１０にかけて斜め下方に傾斜している。また、雨水排水流路６は、取付状態の雨水取り出し装置１における竪樋２の挿入長さより長く、雨水排水流路６に上側の竪樋２のより深い挿入が可能とされている。さらに、雨水排水部７の雨水排水流路６に連通する雨水取り出し部１０の雨水取り出し流路８は、上側の竪樋２が雨水排水部７の雨水排水流路６に深く挿入されるときに上側の竪樋２の一部の挿入が可能とされている。
【００２４】
このため、雨水の取り出し量が減少したり、濁りが顕著になったりして、メンテナンスなどが必要とされる場合に、雨水取り出し装置１のみを竪樋２、４を固定した状態のままにして取り外すことができる。
【００２５】
つまり、図４に示したように、雨水取り出し装置１から蓋１４を取り外した後、雨水取り出し装置１を上側の竪樋２に沿って引き上げることができる。これは、雨水排水流路６が、取付状態の雨水取り出し装置１における竪樋２の挿入長さより長く、雨水排水流路６に上側の竪樋２のより深い挿入が可能とされているからである。このとき、接続部５の接続筒部５ａから下側の竪樋４が外れる。
【００２６】
雨水排水部７の雨水排水流路６に連通する雨水取り出し部１０の雨水取り出し流路８は、上側の竪樋２が雨水排水部７の雨水排水流路６に深く挿入されるときに上側の竪樋２の一部の挿入が可能とされているため、雨水取り出し装置１を引き上げ、雨水排水部７の雨水排水流路６に上側の竪樋２を深く挿入したときに、雨樋取り出し装置１の中央部などを回動の中心として雨水取り出し部１０を上方に回動させることができる。つまり、図５に示した状態にすることができる。この回動をより確実に実現するためには、図３に示した堰１２の高さを雨水取り出し部１０の上方への回動に支障のない高さとすること、また、雨水排水部７の接続部５を形成する接続筒部５ａの下端に雨水取り出し部１０に向かって斜め上方に傾斜するテーパー５ａ１を形成することが有効である。
【００２７】
このように、雨水取り出し装置１を雨水取り出し部１０を上方に回動させた状態において斜め下方に引くことにより、雨水取り出し装置１は、上下両側の竪樋２、４から取り外すことができる。固定されている竪樋２、４を取付具から取り外すことなく、竪樋２、４を固定したままの状態で雨水取り出し装置１のみを取り外すことができ、取外作業は容易である。取り外した雨水取り出し装置１は、雨水排水部７および雨水取り出し部１０の内部に溜まったゴミを排出し、汚れを洗浄して除去することができる。丸洗いが可能であり、フィルター１３の交換を行うこともできる。
【００２８】
メンテナンスなどを完了し、再度取り付ける際には、以上から明らかな通り、上記操作の逆の手順で操作すれば雨水取り出し装置１を取り付けることができ、竪樋２、４の現状復帰は必要ないため、付帯的な作業をともなうことなく雨水取り出し装置１を上下両側の竪樋２、４に取り付けることができ、取り付けも容易である。雨水取り出し装置１の取り外しおよび再ｌｋ取り付けは、施工業者でなく誰でも行うことが可能である。
【００２９】
なお、蓋１４は、雨水取り出し装置１に着脱自在であるため、雨水取り出し装置１の取り外しおよび取り付けの邪魔にならない。
【図面の簡単な説明】
【００３０】
【図１】本発明の雨水取り出し装置の一実施形態を示した分解斜視図である。
【図２】図１に示した雨水取り出し装置の横断面図である。
【図３】図１に示した雨水取り出し装置の縦断面図である。
【図４】図１に示した雨水取り出し装置を竪樋から取り外す操作を示した側面図である。
【図５】図１に示した雨水取り出し装置を竪樋から取り外す操作を示した側面図である。
【符号の説明】
【００３１】
１  雨水取り出し装置
１ａ  上端
２  竪樋
３  挿入口
４  竪樋
５  接続部
６  雨水排水流路
７  雨水排水部
８  雨水取り出し流路
９  雨水取り出し口部
１０  雨水取り出し部
１２  堰
１４  蓋
【図１】
0004748130.tif 000002
【図２】
0004748130.tif 000003
【図３】
0004748130.tif 000004
【図４】
0004748130.tif 000005
【図５】
0004748130.tif 000006